【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
撮像光学系と、該撮像光学系の少なくとも一部を光軸方向に駆動する駆動手段を有し該撮像光学系からの光学像を記録するための撮像部材に対する該撮像光学系の焦点調節を行う焦点調節手段と、前記焦点調節を行う際の前記駆動手段の複数の駆動速度パターンに関する情報を記憶する駆動情報記憶手段と、前記撮像部材に関する情報を記憶する感光情報記憶手段と、前記撮像部材に関する情報に応じて、前記駆動情報記憶手段に記憶された前記複数の駆動速度パターンに関する情報のうち１つの駆動速度パターンに関する情報を選択する選択手段と、この選択した駆動速度パターンに関する情報を用いて前記駆動手段の駆動速度を制御する速度制御手段とを備えたことを特徴とする光学機器。
【請求項２】
前記撮像光学系を有するカメラ本体と、前記撮像光学系および駆動手段を有し該カメラ本体に着脱可能なレンズユニットとに分割されていることを特徴とする請求項１に記載の光学機器。
【請求項３】
前記レンズユニットが前記駆動情報記憶手段を有することを特徴とする請求項２に記載の光学機器。
【請求項４】
前記カメラ本体が前記感光情報記憶手段を有することを特徴とする請求項２に記載の光学機器。
【請求項５】
前記カメラ本体と前記レンズユニットとの間の情報通信を行うための通信手段を備え、前記レンズユニットが前記選択手段を有し、該選択手段は前記通信手段を介して前記感光情報記憶手段に記憶された前記撮像部材に関する情報を得、該撮像部材に関する情報に応じ、前記駆動情報記憶手段に記憶された前記複数の駆動速度パターンに関する情報のうち１つの駆動速度パターンに関する情報を選択することを特徴とする請求項４に記載の光学機器。
【請求項６】
請求項３または５に記載されたレンズユニット。
【請求項７】
請求項４または５に記載されたカメラ本体。
【手続補正２】
【補正対象書類名】明細書
【補正対象項目名】００１０
【補正方法】変更
【補正の内容】
【００１０】
上記課題を解決するための本発明に係る光学機器は、撮像光学系と、該撮像光学系の少なくとも一部を光軸方向に駆動する駆動手段を有し該撮像光学系からの光学像を記録するための撮像部材に対する該撮像光学系の焦点調節を行う焦点調節手段と、前記焦点調節を行う際の前記駆動手段の複数の駆動速度パターンに関する情報を記憶する駆動情報記憶手段と、前記撮像部材に関する情報を記憶する感光情報記憶手段と、前記撮像部材に関する情報に応じて、前記駆動情報記憶手段に記憶された前記複数の駆動速度パターンに関する情報のうち１つの駆動速度パターンに関する情報を選択する選択手段と、この選択した駆動速度パターンに関する情報を用いて前記駆動手段の駆動速度を制御する速度制御手段とを備えたことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明によれば、異なる撮像部材を用いた複数種類のカメラと、これらのカメラに対して、共通して使用可能で、かつそれぞれのカメラに対して最適なフォーカス駆動を行うことができる交換レンズとを含む光学機器、複数種類のカメラに共用可能で、かつ装着したカメラに対して最適なフォーカス駆動を行うことができる交換レンズ、および他種のカメラと交換レンズを共用可能で、かつ装着した交換レンズのフォーカス駆動を最適に行うことができるカメラ本体を提供することができる。また、撮像素子の画面サイズを切り換えたり、分解能やアスペクト比の異なるフィルムを用いる場合に、最適なフォーカス駆動を行うことが可能な光学機器（カメラ）を提供することができる。
【手続補正７】
【補正対象書類名】明細書
【補正対象項目名】００２５
【補正方法】変更
【補正の内容】
【００２５】
図２は本実施例の光学機器（カメラシステム）を示すブロック図であり、撮像部材である撮像素子を有するカメラ本体（デジタルスチルカメラ）と、カメラ本体にマウント部材により着脱自在に装着される交換レンズ（レンズユニット）とを含むカメラシステムに適用した場合のブロック図を示す。
図２において、１０は交換レンズ（レンズユニット）、２０はカメラ本体（デジタルスチルカメラ本体）を示している。交換レンズ１０は、第１レンズＬ１、フォーカスレンズＬ２、第２レンズＬ３を有するズーム光学系であり、これらのレンズＬ１からＬ３を光軸方向に移動することによりズームが行われ、フォーカスレンズＬ２を光軸方向に移動することにより焦点調節が行われる。
【手続補正８】
【補正対象書類名】明細書
【補正対象項目名】００２８
【補正方法】変更
【補正の内容】
【００２８】
１３はレンズ側のＣＰＵであり、後述するカメラ本体２０内のカメラ側ＣＰＵ２２との通信により各種の情報の通信を行うとともに、レンズ１０におけるフォーカスモータ１１の駆動や図示を省略した光量調節装置（絞り装置）などの各部の制御を司る。１４はメモリであり、ＲＯＭあるいはＲＡＭや情報の書換え可能な不揮発性のメモリであるＥＥＰＲＯＭなどの各種のメモリが用いられ、フォーカスレンズＬ２の駆動速度パターン（駆動残量に応じた速度テーブルデータ）、即ち、駆動情報を記憶する。この駆動速度パターンは、後述するカメラの撮像素子２１に関する情報である撮像素子の画素サイズに応じて、選択的に使用するために、複数の駆動速度パターンを保持（記憶）している。即ち、画素サイズといった撮像部材に関する情報に応じて記憶された複数の駆動速度パターンに関する情報のうち1つの駆動速度パターンに関する情報を選択して使用するようにしている。
【手続補正９】
【補正対象書類名】明細書
【補正対象項目名】００２９
【補正方法】変更
【補正の内容】
【００２９】
次に、本実施例の速度制御手段について説明する。図３にメモリ１４に保持されている駆動速度パターンの例を示す。本実施例では高精度モード、中精度モード、高速モードの３種類の速度テーブルを保持しており、高精度モードは駆動残量１００パルスから減速を開始しフォーカスレンズがオーバーランしないよう十分に減速することができる。中精度モードは駆動残量６０パルスから減速を開始する。高速モードは駆動残量３０パルスまでは最高速で駆動して、それから急減速して停止するので、高精度モードや中精度モードに対してフォーカスレンズを高速に駆動することができる。なお、メモリ１４には速度テーブルデータとしてエンコーダ１２から出力されるパルスに対する目標パルス幅のデータを保持している。また、メモリ１４はＣＰＵ１３内に持たせた構成としてもよい。
【手続補正１０】
【補正対象書類名】明細書
【補正対象項目名】００３７
【補正方法】変更
【補正の内容】
【００３７】
上述したカメラ本体２０内のメモリ２３には、撮像部材に関する情報としての撮像素子２１に関する情報である、撮像素子の画素サイズの情報、即ち感光情報が予め記憶されている。そして、カメラ側ＣＰＵ２２は、メモリ２３の撮像素子の情報を取り出して上記の通信により、取り出した情報をレンズ側ＣＰＵ１３に送信するように構成されている。